(57)【要約】      （修正有）【課題】使用者がその好みの組合わせの図柄を刷り込むことを可能とするローラースタンプの提供。【解決手段】印刷面部Ａ２を外周に有して該印刷面部が被印刷面に回転接触することで印刷可能なローラー３Ａと、該ローラーを回転可能に支持する支軸部４Ａを有する支持体部７Ａとを備えたローラースタンプ１Ａであって、他のローラースタンプ１Ｂを着脱自在に取付け可能な着脱部を設けている構成。【選択図】図１
0003117124.tif 000002
【実用新案登録請求の範囲】
【請求項１】
印刷面部を外周に有して該印刷面部が被印刷面に回転接触することで印刷可能なローラーと、該ローラーを回転可能に支持する支軸部を有する支持体部とを備えたローラースタンプであって、他のローラースタンプを着脱自在に取付け可能な着脱部を設けていることを特徴とするローラースタンプ。
【請求項２】
着脱部は、支持体部に、ローラーを移動させる方向となる側に対で設けられていることを特徴とする請求項１記載のローラースタンプ。
【請求項３】
着脱部は、支持体部に、支軸部が同一の軸線上に配置されるよう、支軸部の軸線方向側に対で設けられていることを特徴とする請求項１または請求項２記載のローラースタンプ。
【考案の詳細な説明】
【技術分野】
【０００１】
本考案は、ローラースタンプに関する。
【背景技術】
【０００２】
従来、この種のローラースタンプとして複数のローラーを同軸回りに回転させることで異なる図柄を同時に刷り込むようにすることを可能としたものがある（例えば、特許文献１参照）。
【０００３】
上記従来のローラースタンプは、支持体部に支軸を介して複数のローラーを、該支軸を共通の軸として並べて取付けており、支持体部に摘子を取付けている。そして、該摘子（場合によっては支持体部）を手指で摘んで支持体部を動かすことで、例えばローラーを紙面上で回転させるようにすると、ローラーの数に応じて異なる図柄が紙面に刷り込まれるようになる。
【特許文献１】実公平７−５１３３３号公報
【考案の開示】
【考案が解決しようとする課題】
【０００４】
上記従来のローラースタンプでは、ローラーは一本の支軸に複数取付けられているから、異なる図柄を刷り込むことのできるものである。しかしながら、それが使用者の好みの組合わせの図柄であるとは限らなかった。
【０００５】
そこで本考案は、使用者がその好みの組合わせの図柄を刷り込むことを可能とするローラースタンプの提供を課題とする。
【課題を解決するための手段】
【０００６】
本考案のローラースタンプは、印刷面部を外周に有して該印刷面部が被印刷面に回転接触することで印刷可能なローラーと、該ローラーを回転可能に支持する支軸部を有する支持体部とを備え、他のローラースタンプを着脱自在に取付け可能な着脱部を設けていることを特徴としている。
【０００７】
上記構成において、使用者は、異なる文字・図柄を有した印刷面部を有するローラースタンプを準備しておき、これらローラースタンプどうしを着脱部を介して取付けることで、複数のローラースタンプどうしを組合わす。そして、ローラースタンプをその支軸部の軸心方向と交差する方向に移動させると、各ローラーによってそれぞれの文字・図柄が被印刷面に一回の動作で刷り込まれる。
【０００８】
本考案のローラースタンプにおける着脱部は、支持体部に、ローラーを移動させる方向となる側に対で設けられていることを特徴としている。
【０００９】
上記構成によれば、複数のローラースタンプどうしを、ローラーを移動させる方向となる側で組付けて、ローラーを被印刷面に当てて移動させることで、それぞれの文字・図柄等が刷り込まれる。
【００１０】
本考案のローラースタンプにおける着脱部は、支持体部に、支軸部が同一の軸線上に配置されるよう、支軸部の軸線方向側に対で設けられていることを特徴としている。
【００１１】
上記構成によれば、複数のローラースタンプどうしを、支軸部の軸線方向側で組付けて、ローラーを被印刷面に当てて移動させることで、それぞれの文字・図柄等が刷り込まれる。
【００１２】
本考案のローラースタンプにおける着脱部は、支持体部の対向する側面にそれぞれ形成された凹部と凸部とであり、凹部と凸部とは弾性的に嵌合し得ることを特徴としている。
【００１３】
上記構成によれば、凹部と凸部を嵌合させることで、ローラースタンプどうしが弾性的に確実に組付けられ、ローラースタンプどうしを分離する際は、弾性に抗して離すようにする。
【考案の効果】
【００１４】
本考案のローラースタンプによれば、ローラースタンプどうしを着脱自在とする着脱部を設けているから、好みの文字・図柄を有するローラーどうしを複数組合わせることができ、さらに被印刷面に一回の刷り込み動作で刷り込むことができる。
【考案を実施するための最良の形態】
【００１５】
以下、本考案に係るローラースタンプを図面に基づいて説明する。図１は分解斜視図、図２はローラースタンプを組合わせた状態の部分斜視図、図３は図２の平面断面図である。なお、これらの図において、同様の構成を有するローラースタンプを一対で描いている。
【００１６】
これらの図に示すように、本考案のローラースタンプ１Ａ，１Ｂは、印刷面部２Ａ，２Ｂを外周に有するローラー３Ａ，３Ｂと、ローラー３Ａ，３Ｂを支軸部４Ａ，４Ｂを介してその軸線５ａ，５ｂ回りに回転可能に支持する支持体部７Ａ，７Ｂと、印刷面部２Ａ，２Ｂを保護するキャップ６Ａ，６Ｂとを有する。
【００１７】
前記ローラー３Ａ，３Ｂは、芯となる異形断面の前記支軸部（ローラー軸）４Ａ，４Ｂと、その外周に巻回接着されて表面に反転させた文字・図柄等を突出形成した印刷面８ａ，８ｂを有する前記印刷面部２Ａ，２Ｂとを有する。この印刷面部２Ａ，２Ｂは浸透印と称されるもので、インキが含浸されてなり、印刷面部２Ａ，２Ｂは支軸部４Ａ，４Ｂに巻かれるようにして接着剤により固着されている。
【００１８】
支持体部７Ａ，７Ｂは本体１０Ａ，１０Ｂと、この本体１０Ａ，１０Ｂの上部に一体形成された摘子１１Ａ，１１Ｂとを有している。本体１０Ａ，１０Ｂは下方開放の立方体状、あるいは直方体形状の中空断面に形成され、その下部両側に、支軸部４Ａ，４Ｂの端部１２を回転可能に支持する支持孔１３ａ，１３ｂが形成されている。この支持体部７Ａ，７Ｂは、合成樹脂から形成されており、本体１０Ａ，１０Ｂは可撓性を有する。支軸部４Ａ，４Ｂの長さは、支持孔１３ａ，１３ｂ間の距離に比べてわずかに長く設定されている。
【００１９】
これら支持孔１３ａ，１３ｂに支軸部４Ａ，４Ｂの各端部１２を嵌合すると、ローラー３Ａ，３Ｂの印刷面部２Ａ，２Ｂの外周部が本体１０Ａ，１０Ｂの下端面１４からさらに下方に突出する（図の仮想線で示す）ようローラー３Ａ，３Ｂの径と支持孔１３ａ，１３ｂの位置が関係付けられている。摘子１１Ａ，１１Ｂは本体１０Ａ，１０Ｂの上面からさらに上方に突出するもので、手指で把持し易い形状に形成されている。この場合、ローラー３Ａ，３Ｂの移動する方向に長い平板状の小片に形成されている。
【００２０】
キャップ６Ａ，６Ｂは例えば上方開放の四角錘台形状に形成されており、枠部１５と板状の底部１６とから形成されて、本体１０Ａ，１０Ｂの下方から該本体１０Ａ，１０Ｂの下部を内周面１７が外嵌するよう着脱自在に組付けられるものである。着脱をし易くするために、キャップ６Ａ，６Ｂはその両側部に一対の摘み片１８を有する。
【００２１】
支持体部７Ａ，７Ｂは、他のローラースタンプ１Ｂを着脱自在に組付けて使用すべく着脱機構（着脱部）２０Ａ，２０Ｂを有する。この場合、着脱機構２０Ａ，２０Ｂは、本体１０Ａ，１０Ｂの一側面２１に形成された凹部２２Ａ，２２Ｂ（孔であってもよい）と、本体１０Ａ，１０Ｂの他側面２６に形成された凸部２４Ａ，２４Ｂとからなる。
【００２２】
この場合、一側面２１、他側面２６は、ローラー３Ａ，３Ｂを移動させる側で対向する面である。すなわち、凹部２２Ａ，２２Ｂは、ローラー３Ａ，３Ｂの軸線５ａ，５ｂに直交する方向に向けて一側面２１に対して凹となる形状に形成され、凸部２４Ａ，２４Ｂも同様にローラー３Ａ，３Ｂの軸線５ａ，５ｂに直交する方向に向けて他側面２６に対して凸となる形状に形成されている。
【００２３】
凹部２２Ａ，２２Ｂの形状は特に限定されるものではないが、この場合、側面視矩形の溝状に形成されており、凹部２２Ａ，２２Ｂを所定の深さに設定するローラー３Ａ，３Ｂの移動方向に向かう側面２７と、底面３０とを有する。凹部２２Ａ，２２Ｂと凸部２４Ａ，２４Ｂとは互いに対応（相対）する形状に形成されている。凸部２４Ａ，２４Ｂの形状は特に限定されるものではないが、この場合、側面視矩形に形成されている。すなわち凸部２４Ａ，２４Ｂはローラー３Ａ，３Ｂの移動方向に向かう側面２８と、端面３１とを有する。側面２７，２８どうしの高さはほぼ同一に設定されている。
【００２４】
凹部２２Ａ，２２Ｂと凸部２４Ａ，２４Ｂの側面形状は対応する形状であるが、凸部２４Ａ，２４Ｂの側面形状は凹部２２Ａ，２２Ｂの側面形状に比べてわずかに大きな面積となるように形成してある。
【００２５】
上記構成において、ローラースタンプ１Ａ，１Ｂは、支持孔１３ａ，１３ｂに支軸部４Ａ，４Ｂの各端部１２を嵌合するよう本体１０Ａ，１０Ｂをその弾性に抗して撓ませることで容易に行うことができる。
【００２６】
ところで、上記構成のローラースタンプ１Ａ，１Ｂは、ローラー３Ａ，３Ｂを紙のような被印刷面に当てるようにして軸線５ａ，５ｂと直交する方向へ移動させることで、ローラー３Ａ，３Ｂの印刷面部２Ａ，２Ｂに形成されている文字・図柄が転写される。このようにローラースタンプ１Ａ，１Ｂは、一個ずつであっても使用できる。しかしながら、ローラースタンプ１Ａ，１Ｂは、これを組合わせて使用することが可能である。
【００２７】
この場合、ローラースタンプ１Ａ，１Ｂどうしは、着脱機構２０Ａ，２０Ｂを用いて組付けるようにする。すなわち、ローラースタンプ１Ａの凹部２２Ａにローラースタンプ１Ｂの凸部２４Ｂを、弾性的に嵌合する。弾性的に嵌合するとは、凸部２４Ａ，２４Ｂの側面形状は凹部２２Ａ，２２Ｂの側面形状に比べてわずかに大きな面積となるように形成してあるから、凹部２２Ａ，２２Ｂと凸部２４Ａ，２４Ｂの側面２７，２８どうしが圧接しあうことである。そして、側面２７，２８どうしの高さはほぼ同一に設定されているから、凹部２２Ａ，２２Ｂと凸部２４Ａ，２４Ｂを嵌合すると、本体１０Ａの一側面２１に本体１０Ｂの他側面２６が当接する。
【００２８】
このようにすることで、図２および図３に示すように、ローラー３Ａ，３Ｂが平行に並ぶ。そして、ローラー３Ａ，３Ｂを被印刷面に当てて、摘子１１Ａ（１１Ｂ）を手指で把持してローラースタンプ１Ａ，１Ｂを摘子１１Ａの長さ方向に移動させることで、例えばローラー３Ａが先行しローラー３Ｂがそれに後行して、それぞれ支軸部４Ａ，４Ｂ回りに同時に且つ別々に回転し、印刷面部２Ａ，２Ｂの印刷面８ａ，８ｂに施されている文字・図柄等が反転して被印刷面に該文字・図柄等が一回の動作で刷り込まれる。
【００２９】
使用者は、好みの文字・図柄等が施されたローラー３Ａ，３Ｂを選択して上記のように着脱機構２０Ａ，２０Ｂを用いてローラースタンプ１Ａ，１Ｂどうしを組付けることで、異なる文字・図柄等を被印刷面に刷り込むことができる。この場合、二個のローラースタンプ１Ａ，１Ｂを用いて文字・図柄等を刷り込む場合を説明したが、三個のローラースタンプあるいはそれ以上の個数のローラースタンプを着脱機構によって組付けて、上記と同様に使用することも可能である。
【００３０】
なお、ローラースタンプ１Ａ，１Ｂどうしを取外すには、凹部２２Ａ，２２Ｂと凸部２４Ａ，２４Ｂの弾性に抗して両者を引き離すようにすることで容易に行い得る。ローラースタンプ１Ａ，１Ｂを使用しないときは、本体１０Ａ，１０Ｂに下方からキャップ６Ａ，６Ｂを被せることで、インキが不要な個所に付着するのを防止したり、ローラー３Ａ，３Ｂを保護したりすることが可能となる。
【００３１】
図４は、支持体部７Ａ（７Ｂ）の別の実施形態を示す単体斜視図である。図１〜図３に示した支持体部７Ａと、図４に示した支持体部７Ａとが異なる部分は、着脱機構２０Ａ，２０Ｂである。図４に示す支持体部７Ａの着脱機構２０Ａ，２０Ｂとして、ローラー３Ａ，３Ｂの移動方向に凹となる蟻溝と、ローラー３Ａ，３Ｂの移動方向に凸となる蟻臍としている。すなわち支持体部７Ａの本体１０Ａの一側面２１にローラー３Ａ（３Ｂ）の移動方向に直交する方向の蟻溝が形成され、本体１０Ａの他側面２６に同方向の蟻臍が形成されている。着脱機構２０Ａ，２０Ｂ以外の部分の構成は、図１〜図３に示した実施形態と同様であるので、その説明を省略する。
【００３２】
この実施形態でも、好みの文字・図柄を選んで複数のローラースタンプ１Ａ，１Ｂを同時に使用することが可能である。この場合は、例えばローラースタンプ１Ａの蟻臍にローラースタンプ１Ｂの蟻溝を摺動させて嵌合するようにしてローラースタンプ１Ａ，１Ｂどうしを組付けるようにして使用する。他の構成は図１〜図３に示した実施形態と同様であるから、同様の作用効果を奏し得る。
【００３３】
図５は、着脱機構２０Ａ，２０Ｂ（２２Ａ，２２Ｂ）をローラー３Ａ，３Ｂの軸線５ａ（５ｂ）に沿う側の一側面２１、他側面２６に設けた例を示す支持体部７Ａ（７Ｂ）の単体斜視図である。他の構成は図１〜図３に示した実施形態と同様であるのでその説明を省略する。この構成のローラースタンプ１Ａ，１Ｂでは、好みの文字・図柄を有するローラー３Ａ，３Ｂを備えた本体１０Ａ，１０Ｂどうしを、ローラー３Ａ，３Ｂの軸線５ａ（５ｂ）に沿う方向で組付けるようにして、摘子１１Ａ（１１Ｂ）、あるいはローラースタンプ１Ａ，１Ｂのサイズ（寸法）によって支持体部７Ａ（７Ｂ）を摘み易ければこれを手指で把持してローラー３Ａ，３Ｂを移動させることで、一回の動作で異なる文字・図柄を被印刷面に刷り込むことができる。
【００３４】
なお、摘子１１Ａ（１１Ｂ）の方向は特に限定されるものではく、手指で摘み易く、ローラー３Ａ，３Ｂを被印刷面に当てた状態でローラー３Ａ，３Ｂを回転させ易ければよい。
【００３５】
図６図７は、さらに別の実施形態を示すローラースタンプ１Ａ，１Ｂの分解斜視図である。図１〜図３に示したローラースタンプ１Ａ，１Ｂと異なる構成は、ローラー３Ａ，３Ｂを取付ける保持具４０Ａ，４０Ｂを設けている点である。
【００３６】
保持具４０Ａ，４０Ｂは合成樹脂から形成されており、全体形状として下側開放の略立方体形状に形成されている。その天板４１Ａ，４１Ｂの面積は本体１０Ａ，１０Ｂの下方開放面積と同等であり、裾広がり形状とされている。保持具４０Ａ，４０Ｂにおける対向する側面４２Ａ，４２Ｂには、ローラー３Ａ，３Ｂの端部１２を遊嵌保持する孔４３ａ，４３ｂが形成されている。この孔４３ａ，４３ｂを含む所定の領域は薄肉に形成されている。さらに側面４２Ａ，４２Ｂに、下方に向けて傾斜した切欠４４ａ，４４ｂが形成されて側面４２Ａ，４２Ｂの一部が切欠かれている。他の構成は図１〜図３に示した実施形態と同様であるから、同一の符号を付してその説明を省略する。
【００３７】
上記構成の保持具４０Ａ，４０Ｂの孔４３ａ，４３ｂに、ローラー３Ａ，３Ｂの端部１２を、側面４２Ａ，４２Ｂの弾性に抗してこれを広げることで嵌合させる。このとき、孔４３ａ，４３ｂを含む所定の領域は薄肉に形成されているから、その分だけ小さな力で側面４２Ａ，４２Ｂを広げることが可能であり、したがって、ローラー３Ａ，３Ｂの端部１２を保持具４０Ａ，４０Ｂの孔４３ａ，４３ｂに容易に嵌合することが可能となる。
【００３８】
ローラー３Ａ，３Ｂを保持具４０Ａ，４０Ｂに保持した状態で、今度は保持具４０Ａ，４０Ｂを本体１０Ａ，１０Ｂに下方から組込む。保持具４０Ａ，４０Ｂの天板４１Ａ，４１Ｂの面積は本体１０Ａ，１０Ｂの下方開放面積と同等であり、裾広がり形状とされているが、側面４２Ａ，４２Ｂは切欠４４ａ，４４ｂにより一部が切欠かれているから、その分だけ弾性変形し易い。したがって、保持具４０Ａ，４０Ｂを本体１０Ａ，１０Ｂに下方から挿入すると、切欠４４ａ，４４ｂの幅を縮めるように保持具４０Ａ，４０Ｂが弾性変形するから、保持具４０Ａ，４０Ｂが裾広がり形状であっても本体１０Ａ，１０Ｂに組込むことが可能であり、組込んだ後は弾性によって裾広がり形状に復帰する力によって、確実に本体１０Ａ，１０Ｂに嵌合する。なお、保持具４０Ａ，４０Ｂにおいて、切欠４４ａ，４４ｂは保持具４０Ａ，４０Ｂのサイズ等により必要に応じて形成すればよい。また。孔４３ａ，４３ｂを含む所定の領域は薄肉に形成したが、孔４３ａ，４３ｂに支軸部４Ａ，４Ｂを容易に嵌合できれば、特に薄肉に形成する必要はない。
【００３９】
なお、上記各実施形態では、本体１０Ａ，１０Ｂの形状は直方体形状としてあるがこれに限定されるものではない。本発明のローラースタンプ１Ａ，１Ｂは子供の遊戯具として用いることができるから、例えば本体１０Ａ，１０Ｂの形状を、子供が興味を示すように動物その他に模すように種々変更することが考えられる。
【００４０】
着脱機構（着脱部）は上記実施形態に限定されるものではなく、凹部と凸部、蟻溝と蟻臍の代わりに、例えば吸盤を用いて他のローラースタンプを着脱自在とするよう構成したり、磁石を用いて他のローラースタンプを着脱自在とするよう構成したりすることが可能である。
【図面の簡単な説明】
【００４１】
【図１】本考案の実施形態を示すローラースタンプの分解斜視図。
【図２】同じくローラースタンプを組合わせた状態の部分斜視図。
【図３】同じく図２の平面断面図。
【図４】別の実施形態を示すローラースタンプにおける支持体部の斜視図。
【図５】別の実施形態を示す支持体部の斜視図。
【図６】別の実施形態を示すローラースタンプの分解斜視図。
【図７】同じく保持具の平面断面図。
【符号の説明】
【００４２】
１Ａ，１Ｂ…ローラースタンプ、２Ａ，２Ｂ…印刷面部、３Ａ，３Ｂ…ローラー、４Ａ，４Ｂ…支軸部、５Ａ，５Ｂ…軸線、７Ａ，７Ｂ…支持体部、６Ａ，６Ｂ…キャップ、８Ａ，８Ｂ…印刷面、１０Ａ，１０Ｂ…本体、１１Ａ，１１Ｂ…摘子、２０Ａ，２０Ｂ…着脱機構（着脱部）、２２Ａ，２２Ｂ…凹部、２４Ａ，２４Ｂ…凸部、２１…一側面、２６…他側面、２７，２８…側面、４０Ａ，４０Ｂ…保持具
【図１】
0003117124.tif 000003
【図２】
0003117124.tif 000004
【図３】
0003117124.tif 000005
【図４】
0003117124.tif 000006
【図５】
0003117124.tif 000007
【図６】
0003117124.tif 000008
【図７】
0003117124.tif 000009